(57)【要約】ワイヤレス通信ネットワーク内でのマルチキャストグループからのグループメンバーの登録抹消を開示する。接続端末は、マルチキャストグループの第１のセットを特定する第１のマルチキャスト登録メッセージを接続ネットワークに送信する。接続ネットワークは、第１のマルチキャスト登録メッセージを受信し、マルチキャストグループの第１のセットの各々に接続端末を登録する。接続端末は、マルチキャストグループの第１のセットの中から、少なくとも１つのマルチキャストグループを削除する第２のマルチキャスト登録メッセージを送信する。この登録メッセージは、接続端末に対して、少なくとも１つのマルチキャストグループからの登録抹消を要求するように送信される。接続ネットワークは、第２のマルチキャスト登録メッセージを受信すると、これを削除された少なくとも１つのマルチキャストグループから、この接続端末を登録抹消する要求であると解釈する。【選択図】    図１
2011501895.tif 000002
【特許請求の範囲】
【請求項１】
マルチキャストグループの第１のセットを特定する第１のマルチキャスト登録メッセージであって、接続端末から、前記第１のマルチキャスト登録メッセージを受信することと、
前記マルチキャストグループの第１のセットの各々に対して前記接続端末を登録することと、
前記マルチキャストグループの第１のセットの中から、少なくとも１つのマルチキャストグループを削除する第２のマルチキャスト登録メッセージであって、前記接続端末から、前記第２のマルチキャスト登録メッセージを受信することと、
前記第２のマルチキャスト登録メッセージを、前記削除された少なくとも１つのマルチキャストグループから、前記接続端末を登録抹消する要求と解釈することとを具備するワイヤレス通信システム内でのマルチキャスティングの方法。
【請求項２】
前記マルチキャストグループの第１のセットは、１つのマルチキャストグループを含む請求項１記載の方法。
【請求項３】
前記マルチキャストグループの第１のセットは、１つより多くのマルチキャストグループを含む請求項１記載の方法。
【請求項４】
前記第１および第２のマルチキャスト登録メッセージは、ＢＣＭＣＳフロー登録メッセージである請求項１記載の方法。
【請求項５】
前記第１のマルチキャスト登録メッセージは、前記マルチキャストグループの第１のセットの各々に対するＢＣＭＣＳフローＩＤに基づいて、前記マルチキャストグループの第１のセットを特定する請求項１記載の方法。
【請求項６】
前記第２のマルチキャスト登録メッセージは、マルチキャストグループの第２のセットを特定し、前記マルチキャストグループの第２のセットは、前記マルチキャストグループの第１のセットと異なっている請求項１記載の方法。
【請求項７】
前記マルチキャストグループの第２のセットは、前記マルチキャストグループの第１のセット内に存在しない、少なくとも１つのマルチキャストグループを含む請求項６記載の方法。
【請求項８】
前記マルチキャストグループの第２のセットは、前記マルチキャストグループの第１のセット内に存在する、少なくとも１つのマルチキャストグループを削除する請求項６記載の方法。
【請求項９】
前記マルチキャストグループの第２のセットは、前記マルチキャストグループの第１のセット内に存在する、少なくとも１つのマルチキャストグループを削除する請求項７記載の方法。
【請求項１０】
前記第２のマルチキャスト登録メッセージは、いかなるマルチキャストグループも特定しない請求項１記載の方法。
【請求項１１】
前記接続端末が現時点で登録されている全てのマルチキャストグループから、前記接続端末を登録抹消することをさらに具備する請求項１０記載の方法。
【請求項１２】
前記登録抹消するステップの結果、前記削除された少なくとも１つのマルチキャストグループが登録されている前記接続端末のセクタ内で接続端末がゼロとなる場合、
前記削除された少なくとも１つのマルチキャストグループに関係付けられたマルチキャストメッセージの送信を、前記接続端末のセクタでやめることをさらに具備する請求項１１記載の方法。
【請求項１３】
前記第２のマルチキャスト登録メッセージは、空のグループを意味するように指定された１つの特別なマルチキャストグループのみを特定する請求項１記載の方法。
【請求項１４】
前記接続端末が現時点で登録されている全てのマルチキャストグループから、前記接続端末を登録抹消することをさらに具備する請求項１３記載の方法。
【請求項１５】
前記登録抹消するステップの結果、前記削除された少なくとも１つのマルチキャストグループが登録されている前記接続端末のセクタ内で接続端末がゼロとなる場合、
前記削除された少なくとも１つのマルチキャストグループに関係付けられたマルチキャストメッセージの送信を、前記接続端末のセクタでやめることをさらに具備する請求項１４記載の方法。
【請求項１６】
前記削除された少なくとも１つのマルチキャストグループから、前記接続端末を登録抹消することをさらに具備する請求項１記載の方法。
【請求項１７】
前記登録抹消するステップの結果、前記削除された少なくとも１つのマルチキャストグループが登録されている前記接続端末のセクタ内で接続端末がゼロとなる場合、
前記削除された少なくとも１つのマルチキャストグループに関係付けられたマルチキャストメッセージの送信を、前記接続端末のセクタでやめることをさらに具備する請求項１６記載の方法。
【請求項１８】
マルチキャストグループの第１のセットを特定する第１のマルチキャスト登録メッセージであって、接続端末から、前記第１のマルチキャスト登録メッセージを送信することと、
前記マルチキャストグループの第１のセットの中から、少なくとも１つのマルチキャストグループを削除する第２のマルチキャスト登録メッセージであって、前記接続端末について、少なくとも１つのマルチキャストグループから登録抹消を要求するように送信されている前記第２のマルチキャスト登録メッセージを、前記接続端末から送信することとを具備するワイヤレス通信システム内でのマルチキャスティングの方法。
【請求項１９】
前記マルチキャストグループの第１のセットは、１つのマルチキャストグループを含む請求項１８記載の方法。
【請求項２０】
前記マルチキャストグループの第１のセットは、１つより多くのマルチキャストグループを含む請求項１８記載の方法。
【請求項２１】
前記第１および第２のマルチキャスト登録メッセージは、ＢＣＭＣＳフロー登録メッセージである請求項１８記載の方法。
【請求項２２】
前記第１のマルチキャスト登録メッセージは、前記マルチキャストグループの第１のセットの各々に対するＢＣＭＣＳフローＩＤに基づいて、前記マルチキャストグループの第１のセットを特定する請求項１８記載の方法。
【請求項２３】
前記第２のマルチキャスト登録メッセージは、マルチキャストグループの第２のセットを特定し、前記マルチキャストグループの第２のセットは、前記マルチキャストグループの第１のセットと異なっている請求項１８記載の方法。
【請求項２４】
前記マルチキャストグループの第２のセットは、前記マルチキャストグループの第１のセット内に存在しない、少なくとも１つのマルチキャストグループを含む請求項２３記載の方法。
【請求項２５】
前記マルチキャストグループの第２のセットは、前記マルチキャストグループの第１のセット内に存在する、少なくとも１つのマルチキャストグループを削除する請求項２３記載の方法。
【請求項２６】
前記マルチキャストグループの第２のセットは、前記マルチキャストグループの第１のセット内に存在する、少なくとも１つのマルチキャストグループを削除する請求項２４記載の方法。
【請求項２７】
前記第２のマルチキャスト登録メッセージは、いかなるマルチキャストグループも特定しない請求項１８記載の方法。
【請求項２８】
前記第２のマルチキャスト登録メッセージは、前記接続端末について、前記接続端末が現時点で登録されている全てのマルチキャストグループからの登録抹消を要求するように送信される請求項１８記載の方法。
【請求項２９】
前記第２のマルチキャスト登録メッセージが送信される前に、前記削除された少なくとも１つのマルチキャストグループに関係付けられたマルチキャストメッセージングを受信することと、
前記第２のマルチキャスト登録メッセージの送信に引き続き、前記削除された少なくとも１つのマルチキャストグループについて、いかなる接続端末も登録されないままである場合、前記第２のマルチキャスト登録メッセージが送信された後で、前記削除された少なくとも１つのマルチキャストグループに関係付けられたマルチキャストメッセージングを受信しないこととをさらに具備する請求項１８記載の方法。
【請求項３０】
マルチキャストグループの第１のセットを特定する第１のマルチキャスト登録メッセージであって、接続端末から、前記第１のマルチキャスト登録メッセージを受信する手段と、
前記マルチキャストグループの第１のセットの各々に対して前記接続端末を登録する手段と、
前記マルチキャストグループの第１のセットの中から、少なくとも１つのマルチキャストグループを削除する第２のマルチキャスト登録メッセージであって、前記接続端末から、前記第２のマルチキャスト登録メッセージを受信する手段と、
前記第２のマルチキャスト登録メッセージを、前記削除された少なくとも１つのマルチキャストグループから、前記接続端末を登録抹消する要求と解釈する手段とを具備する接続ネットワーク。
【請求項３１】
前記削除された少なくとも１つのマルチキャストグループから、前記接続端末を登録抹消する手段をさらに具備する請求項３０記載の接続ネットワーク。
【請求項３２】
前記登録抹消の結果、前記削除された少なくとも１つのマルチキャストグループが登録されている前記接続端末のセクタ内で接続端末がゼロとなる場合、
前記削除された少なくとも１つのマルチキャストグループに関係付けられたマルチキャストメッセージの送信を、前記接続端末のセクタでやめる手段をさらに具備する請求項３１記載の接続ネットワーク。
【請求項３３】
マルチキャストグループの第１のセットを特定する第１のマルチキャスト登録メッセージであって、前記第１のマルチキャスト登録メッセージを送信する手段と、
前記マルチキャストグループの第１のセットの中から、少なくとも１つのマルチキャストグループを削除する第２のマルチキャスト登録メッセージであって、前記接続端末について、少なくとも１つのマルチキャストグループから登録抹消を要求するように送信されている前記第２のマルチキャスト登録メッセージを送信する手段とを具備する接続端末。
【請求項３４】
前記第２のマルチキャスト登録メッセージは、前記接続端末について、前記接続端末が現時点で登録されている全てのマルチキャストグループからの登録抹消を要求するように送信される請求項３３記載の接続端末。
【請求項３５】
前記第２のマルチキャスト登録メッセージが送信される前に、前記削除された少なくとも１つのマルチキャストグループに関係付けられたマルチキャストメッセージングを受信する手段をさらに具備し、
前記受信する手段は、
前記第２のマルチキャスト登録メッセージの送信に引き続き、前記削除された少なくとも１つのマルチキャストグループについて、いかなる接続端末も登録されないままである場合、前記第２のマルチキャスト登録メッセージが送信された後で、前記削除された少なくとも１つのマルチキャストグループに関係付けられたマルチキャストメッセージングを受信しない請求項３３記載の接続端末。
【請求項３６】
マルチキャストグループの第１のセットを特定する第１のマルチキャスト登録メッセージであって、接続端末から、前記第１のマルチキャスト登録メッセージを受信するように構成されたロジックと、
前記マルチキャストグループの第１のセットの各々に対して前記接続端末を登録するように構成されたロジックと、
前記マルチキャストグループの第１のセットの中から、少なくとも１つのマルチキャストグループを削除する第２のマルチキャスト登録メッセージであって、前記接続端末から、前記第２のマルチキャスト登録メッセージを受信するように構成されたロジックと、
前記第２のマルチキャスト登録メッセージを、前記削除された少なくとも１つのマルチキャストグループから、前記接続端末を登録抹消する要求と解釈するように構成されたロジックとを具備する接続ネットワーク。
【請求項３７】
前記削除された少なくとも１つのマルチキャストグループから、前記接続端末を登録抹消するように構成されたロジックをさらに具備する請求項３６記載の接続ネットワーク。
【請求項３８】
前記登録抹消の結果、前記削除された少なくとも１つのマルチキャストグループが登録されている前記接続端末のセクタ内で接続端末がゼロとなる場合、
前記削除された少なくとも１つのマルチキャストグループに関係付けられたマルチキャストメッセージの送信を、前記接続端末のセクタでやめるように構成されたロジックをさらに具備する請求項３７記載の接続ネットワーク
【請求項３９】
マルチキャストグループの第１のセットを特定する第１のマルチキャスト登録メッセージであって、前記第１のマルチキャスト登録メッセージを送信するように構成されたロジックと、
前記マルチキャストグループの第１のセットの中から、少なくとも１つのマルチキャストグループを削除する第２のマルチキャスト登録メッセージであって、前記接続端末について、少なくとも１つのマルチキャストグループから登録抹消を要求するように送信されている前記第２のマルチキャスト登録メッセージを送信するように構成されたロジックとを具備する接続端末。
【請求項４０】
前記第２のマルチキャスト登録メッセージは、前記接続端末について、前記接続端末が現時点で登録されている全てのマルチキャストグループからの登録抹消を要求するように送信される請求項３９記載の接続端末。
【請求項４１】
前記第２のマルチキャスト登録メッセージが送信される前に、前記削除された少なくとも１つのマルチキャストグループに関係付けられたマルチキャストメッセージングを受信するように構成されたロジックをさらに具備し、
前記受信するように構成されたロジックは、
前記第２のマルチキャスト登録メッセージの送信に引き続き、前記削除された少なくとも１つのマルチキャストグループについて、いかなる接続端末も登録されないままである場合、前記第２のマルチキャスト登録メッセージが送信された後で、前記削除された少なくとも１つのマルチキャストグループに関係付けられたマルチキャストメッセージングを受信しない請求項３９記載の接続端末。
【請求項４２】
ワイヤレス通信システムの接続ネットワーク内で動作するように構成されたプログラムコードが記憶され、含まれたコンピュータ読み出し可能な媒体において、
マルチキャストグループの第１のセットを特定する第１のマルチキャスト登録メッセージであって、接続端末から、前記第１のマルチキャスト登録メッセージを受信するプログラムコードと、
前記マルチキャストグループの第１のセットの各々に対して前記接続端末を登録するプログラムコードと、
前記マルチキャストグループの第１のセットの中から、少なくとも１つのマルチキャストグループを削除する第２のマルチキャスト登録メッセージであって、前記接続端末から前記第２のマルチキャスト登録メッセージを受信するプログラムコードと、
前記第２のマルチキャスト登録メッセージを、前記削除された少なくとも１つのマルチキャストグループから、前記接続端末を登録抹消する要求と解釈するプログラムコードとを具備するコンピュータ読み出し可能な媒体。
【請求項４３】
前記削除された少なくとも１つのマルチキャストグループから、前記接続端末を登録抹消するプログラムコードをさらに具備する請求項４２記載のコンピュータ読み出し可能な媒体。
【請求項４４】
前記登録抹消の結果、前記削除された少なくとも１つのマルチキャストグループが登録されている前記接続端末のセクタ内で接続端末がゼロとなる場合、
前記削除された少なくとも１つのマルチキャストグループに関係付けられたマルチキャストメッセージの送信を、前記接続端末のセクタでやめるプログラムコードをさらに具備する請求項４３記載のコンピュータ読み出し可能な媒体。
【請求項４５】
ワイヤレス通信システムの接続ネットワーク内で動作するように構成されたプログラムコードが記憶され、含まれたコンピュータ読み出し可能な媒体において、
マルチキャストグループの第１のセットを特定する第１のマルチキャスト登録メッセージであって、前記第１のマルチキャスト登録メッセージを送信するプログラムコードと、
前記マルチキャストグループの第１のセットの中から、少なくとも１つのマルチキャストグループを削除する第２のマルチキャスト登録メッセージであって、前記接続端末について、少なくとも１つのマルチキャストグループから登録抹消を要求するように送信されている前記第２のマルチキャスト登録メッセージを送信するプログラムコードとを具備するコンピュータ読み出し可能な媒体。
【請求項４６】
前記第２のマルチキャスト登録メッセージは、前記接続端末について、前記接続端末が現時点で登録されている全てのマルチキャストグループからの登録抹消を要求するように送信される請求項４５記載のコンピュータ読み出し可能な媒体。
【請求項４７】
前記第２のマルチキャスト登録メッセージが送信される前に、前記削除された少なくとも１つのマルチキャストグループに関係付けられたマルチキャストメッセージングを受信するプログラムコードをさらに具備し、
前記受信するプログラムコードは、
前記第２のマルチキャスト登録メッセージの送信に引き続き、前記削除された少なくとも１つのマルチキャストグループについて、いかなる接続端末も登録されないままである場合、前記第２のマルチキャスト登録メッセージが送信された後で、前記削除された少なくとも１つのマルチキャストグループに関係付けられたマルチキャストメッセージングを受信しない請求項４５記載のコンピュータ読み出し可能な媒体。
【発明の詳細な説明】
【米国特許法§１１９に基づく優先権】
【０００１】
本特許出願は、“ワイヤレス通信ネットワーク内でのマルチキャストグループからのマルチキャストグループメンバー登録抹消の方法”と題する２００７年９月２４日に出願され、その譲受人に譲渡された米国仮特許出願第６０／９７４，８３２号に対して優先権の利益を主張しており、この全体の内容は、参照によりここに明確に組み込まれている。
【発明の背景】
【０００２】
１．発明の分野
本発明は、ワイヤレス遠隔通信システムにおける通信に関し、さらに特に、ワイヤレス通信ネットワーク内でのマルチキャストグループからのマルチキャストグループメンバー登録抹消の方法に関する。
【０００３】
２．関連技術の記述
ワイヤレス通信システムは、第１世代アナログワイヤレス電話サービス（１Ｇ）、（中間２．５Ｇおよび２．７５Ｇネットワークを含む）第２世代（２Ｇ）デジタルワイヤレス電話サービス、および第３世代（３Ｇ）高速データ／インターネット可能なワイヤレスサービスを含む、様々な世代を通して発展してきた。現在、セルラーおよびパーソナル通信サービス（ＰＣＳ）システムを含む、多数の異なる型のワイヤレス通信システムが使用中である。知られたセルラーシステムの例は、セルラーアナログアドバンスド移動電話システム（ＡＭＰＳ）、ならびに、コード分割多元接続（ＣＤＭＡ）、周波数分割多元接続（ＦＤＭＡ）、時分割多元接続（ＴＤＭＡ）、ＴＤＭＡの移動接続に対する全世界的システム（ＧＳＭ）バリエーション、およびＴＤＭＡとＣＤＭＡ技術の両方を使用する、より新しいハイブリッドデジタル通信システムに基づくデジタルセルラーシステムを含む。
【０００４】
ＣＤＭＡ移動通信を提供する方法は、米合衆国において、本出願ではＩＳ−９５と呼ばれ、“デュアルモード広域拡散スペクトラムセルラーシステムに対する移動局―基地局互換性標準規格”と題するＴＩＡ／ＥＩＡ／ＩＳ−９５−Ａで、遠隔通信工業協会／電子工業協会によって標準化された。結合されたＡＭＰＳおよびＣＤＭＡシステムは、ＴＩＡ／ＥＩＡ標準規格ＩＳ−９８で記述されている。他の通信システムは、ＩＭＴ−２０００／ＵＭや、国際移動遠隔通信システム２０００／ユニバーサル移動遠隔通信システム、広帯域ＣＤＭＡ（ＷＣＤＭＡ）や、（例えば、ＣＤＭＡ２０００ １ｘＥＶ−ＤＯ標準規格のような）ＣＤＭＡ２０００や、ＴＤ−ＳＣＤＭＡと呼ばれるものをカバーする標準規格の中で記述されている。
【０００５】
ワイヤレス通信システムにおいて、移動局、ハンドセット、または接続端末（ＡＴ）は、（セルサイトとかセルとも呼ばれ、）固定位置基地局に隣接した、あるいは周辺の、特定の地理的領域内で、通信リンクやサービスをサポートする固定位置基地局から信号を受信する。基地局は、一般的には、サービスの品質（ＱｏＳ）要求に基づいて、トラフィックを差異化する方法をサポートする標準インターネットエンジニアリングタスクフォース（ＩＦＴＦ）に基づくプロトコルを使用している、パケットデータネットワークである接続ネットワーク（ＡＮ）／無線接続ネットワーク（ＲＡＮ）への入口点を提供する。従って、基地局は、一般的に、オーバーザエアーインターフェースを通してＡＴと対話し、また、インターネットプロトコル（ＩＰ）ネットワークデータパケットを通してＡＮと対話する。
【０００６】
ワイヤレス遠隔通信システムにおいて、プッシュツートーク（ＰＴＴ）能力は、サービスセクタおよび消費者に普及し始めている。ＰＴＴは、ＣＤＭＡ、ＦＤＭＡ、ＴＤＭＡ、ＧＳＭ、等のような標準商用ワイヤレスインフラを通して動作する“ディスパッチ”音声サービスをサポートすることが出来る。ディスパッチモデルにおいて、終端（ＡＴ）間通信は、仮想的なグループ内で発生し、そこでは、１人の“トーカー”の音声が、１人あるいはそれより多くの“リスナー”に送信される。この型の通信の単一の例は、通常、ディスパッチコールとか、単に、ＰＴＴコールと呼ばれる。ＰＴＴコールは、グループの例示であり、コールの特徴を規定する。本質的に、グループは、メンバーリスト、およびグループ名とかグループ識別のような関係情報によって規定される。
【０００７】
通常、ワイヤレス通信ネットワーク内のデータパケットは、単一の宛先または接続端末に送信されるように構成されている。単一の宛先にデータを送信することは、“ユニキャスト”と呼ばれる。移動通信が増加したため、所定のデータを、同時に複数の接続端末に送信する能力が、さらに重要になってきている。従って、同一のパケットまたはメッセージを、複数の宛先や目標接続端末に、同時データ送信することをサポートするために、プロトコルが採用されてきている。“ブロードキャスト”は、（例えば、所定のセル内、所定のサービスプロバイダによってサーブされた、等の）全ての宛先や接続端末へのデータパケット送信を指し、一方、“マルチキャスト”は、所定の宛先や接続端末のグループへのデータパケット送信を指す。１つの例において、所定の宛先のグループ、または“マルチキャストグループ”は、（例えば、所定のグループ内、所定のサービスプロバイダによってサーブされた、等の）１つよりは多く、可能性のある全てよりは少ない宛先や接続端末を含むことが出来る。しかし、ある状況において、マルチキャストは、ユニキャスト同様に、ただ１つの接続端末を具備すること、あるいは、代替的に、マルチキャストグループは、ブロードキャストと同様に、（例えば、所定セルやセクタ内の）全ての接続端末を具備することが、少なくとも可能である。
【０００８】
ブロードキャストおよび／またはマルチキャストは、ワイヤレス通信システム内で、マルチキャストグループに適応するために、複数のシーケンシャルなユニキャスト動作を実行すること、同時に複数のデータ送信を操作するために特有のブロードキャスト／マルチキャストチャネル（ＢＣＨ）を割り当てること、および同様のことのような多数の方法により実行することが出来る。プッシュツートーク通信のためにブロードキャストチャネルを使用する従来のシステムは、“ＣＤＭＡ １ｘ−ＥＶＤＯセルラーネットワークを使用するプッシュツートークグループコールシステム”と題する２００７年３月１日付米国特許出願公開Ｎｏ．２００７／００４９３１４に記述されており、その内容は、参照によりここに全体的に組み込まれている。出願公開Ｎｏ．２００７／００４９３１４に記述されているように、ブロードキャストチャネルは、従来のシグナリング手法を使用しているプッシュツートークグループコールに対して使用することが出来る。ブロードキャストチャネルの使用は、従来のユニキャスト手法よりも帯域要求を改善することが出来るものの、ブロードキャストチャネルの従来のシグナリングは、依然として、追加のオーバーヘッドおよび／または遅延の結果となり、システム性能を低下させうる。
【０００９】
第３世代パートナーシッププロジェクト２（“３ＧＰＰ２”）は、ＣＤＭＡ２０００ネットワークにおけるマルチキャスト通信をサポートするブロードキャスト−マルチキャストサービス（ＢＣＭＣＳ）仕様書を規定する。従って、２００６年２月１４日付け、バージョン１．０Ｃ．Ｓ００５４−Ａで、“ＣＤＭＡ２０００高速レートブロードキャスト−マルチキャストパケットデータエアーインターフェース仕様書”と題する３ＧＰＰ２のＢＣＭＣＳ仕様書のバージョンは、参照によりここに全体的に組み込まれている。
【概要】
【００１０】
本発明の実施形態は、ワイヤレス通信ネットワーク内でのマルチキャストグループからの、マルチキャストグループメンバーの登録抹消の面に向けられている。接続端末は、マルチキャストグループの第１のセットを特定する第１のマルチキャスト登録メッセージを、接続ネットワークに送信する。接続ネットワークは、第１のマルチキャスト登録メッセージを受信し、マルチキャストグループの第１のセットの各々について、接続端末を登録する。接続端末は、マルチキャストグループの第１のセットの中から、少なくとも１つのマルチキャストグループを削除する第２のマルチキャスト登録メッセージを送信する。この第２のマルチキャスト登録メッセージは、接続端末について、少なくとも１つのマルチキャストグループからの登録抹消を要求するように送信される。接続ネットワークは、第２のマルチキャスト登録メッセージを受信し、第２のマルチキャスト登録メッセージのことを、削除された少なくとも１つのマルチキャストグループから、この接続端末を登録抹消する要求と解釈する。
【図面の簡単な説明】
【００１１】
本発明の限定ではなく、単に例解のために示される付随の図面との関係で考慮されるとき、以下の詳細な記述を参照することにより、本発明は、より良く理解され、本発明のさらに完全な認識および多数の付随の利点は容易に得られるであろう。ここにおいて、
【図１】図１は、本発明の少なくとも１つの実施形態に従う接続端末および接続ネットワークをサポートするワイヤレスネットワークアーキテクチャーの概略図である。
【図２】図２は、本発明の実施形態に従うキャリアネットワークを例解する。
【図３】図３は、本発明の少なくとも１つの実施形態に従う接続端末の例解である。
【図４】図４は、ブロードキャストマルチキャストサービス（ＢＣＭＣＳ）フレームワークを使用する従来のマルチキャストメッセージングプロセスを例解する。
【図５】図５は、ダウンリンク制御チャネルの従来のサイクルを例解する。
【図６】図６は、本発明の実施形態に従うグループメンバーシップ報告および位置更新プロセスを例解する。
【図７】図７は、本発明の実施形態に従うマルチキャストメッセージングプロセスを例解する。
【図８】図８は、本発明の実施形態に従うワイヤレス通信システムを例解する。
【詳細な説明】
【００１２】
本発明の特有の実施形態に向けられた以下の記述および関係する図面において、本発明の面が開示される。代替的な実施形態は、本発明の範囲を逸脱することなく考案することが出来る。追加的に、本発明の良く知られたエレメントは、本発明の関係する詳細が不明瞭にならないように、詳細には記述されないか、省略されるであろう。
【００１３】
言葉“例示的”および／または“例”は、本出願において、“例、凡例、または例解として供していること”を意味するように使用される。本出願において、“例示的”および／または“例”として記述された任意の実施形態は、必ずしも、他の実施形態よりも望ましい、または有利と解釈されるものではない。同様に、用語“本発明の実施形態”は、本発明の全実施形態が、論議された特徴や、利点や動作のモードを含むことを要求するものではない。
【００１４】
さらに、多数の実施形態が、コンピューティングデバイスのエレメントによって、例えば実行される行為のシーケンスで記述される。本出願において記述される様々な行為は、特有の回路（例えば、特定目的集積回路（ＡＳＩＣ））や、１つあるいはそれより多くのプロセッサによって実行されるプログラム命令や、両方の組み合わせによって実行されうることが認識されるであろう。加えて、本出願において記述された、これらの行為のシーケンスは、本出願に記述された機能を、関係プロセッサに実行させるであろうコンピュータ命令の対応するセットを中に記憶している、コンピュータ読み出し可能な記憶媒体の任意の形の内で、完全に具現されうると考えることが出来る。従って、本発明の様々な面は、多数の異なる形で実現することが出来、それら全ては、請求された主題の範囲内であると考えることが出来る。加えて、本出願において記述される実施形態の各々に対し、任意のそのような実施形態の対応する形は、本出願において、例えば、記述された行為を実行“するように構成されたロジック”のようにと記述することが出来る。
【００１５】
本出願において接続端末（ＡＴ）と言及される、高速データレート（ＨＤＲ）加入者局は、移動的または固定的でありえて、１つあるいはそれより多くの、本出願においてモデムプールトランシーバ（ＭＰＴ）または基地局（ＢＳ）と言及されるＨＤＲ基地局と通信することが出来る。接続端末は、データパケットを、１つあるいはそれより多くのモデムプールトランシーバを通して、モデムプールコントローラ（ＭＰＣ）、基地局コントローラ（ＢＳＣ）および／またはパケット制御機能（ＰＣＦ）と言及されるＨＤＲ基地局コントローラに送信および受信する。モデムプールトランシーバおよびモデムプールコントローラは、接続ネットワークと呼ばれるネットワークのパーツである。接続ネットワークは、複数の接続端末間でデータパケットを搬送する。
【００１６】
接続ネットワークは、接続ネットワーク外の、企業イントラネットまたはインターネットのような追加のネットワークに、さらに結合することが出来、各接続端末および、そのような外部のネットワーク間でデータパケットを搬送することが出来る。１つあるいはそれより多くのモデムプールトランシーバとのアクティブトラフィックチャネル接続を確立した接続端末は、アクティブ接続端末と呼ばれ、トラフィック状態にあると言われる。１つあるいはそれより多くのモデムプールトランシーバとアクティブトラフィックチャネル接続を確立しようとしている過程にある接続端末は、接続設定状態にあると言われる。接続端末は、ワイヤレスチャネルあるいは、例えば、ファイバーオプティックスや同軸ケーブルを使用する有線チャネルを通して通信する任意のデータデバイスでありうる。接続端末は、さらに、限定されることなくＰＣカード、コンパクトフラッシュ（登録商標）、外部や内部モデム、または、ワイヤレスや有線電話を含む任意の多数の型のデバイスでありうる。接続端末がモデムプールトランシーバに、これを通して信号を送信する通信リンクは、リバースリンクとかトラフィックチャネルと呼ばれる。モデムプールトランシーバが接続端末に、これを通して信号を送信する通信リンクは、フォワードリンクとかトラフィックチャネルと呼ばれる。本出願において使用されるように、トラフィックチャネルは、フォワードまたはリバーストラフィックチャネルのいずれかを指しうる。
【００１７】
図１は、本発明の少なくとも１つの実施形態に従う、ワイヤレスシステム１００の１つの例示的実施形態のブロック図を例解する。システム１００は、エアーインターフェース１０４を介して、接続ネットワークや無線接続ネットワーク（ＲＡＮ）１２０と通信しているセルラー電話１０２のような接続端末を含むことが出来、ネットワーク１２０は、パケット交換データネットワーク（例えば、イントラネット、インターネット、および／またはキャリアネットワーク１２６）と接続端末１０２、１０８、１１０、１１２間のデータ接続性をもたらすネットワーク装置に、接続端末１０２を接続することが出来る。本出願に示されるように、接続端末は、セルラー電話１０２、パーソナルデジタルアシスタント１０８、本出願では二方向テキストページャーとして示されたページャー１１０、あるいは、ワイヤレス通信ポータルを有する分離されたコンピュータプラットフォーム１１２ですらありうる。本発明の実施形態は、従って、ワイヤレス通信ポータルを含む任意の形の接続端末や、限定されることなく、ワイヤレスモデム、ＰＣＭＣＩＡカード、パーソナルコンピュータ、電話、あるいはそれらの組み合わせや、それらのサブ組み合わせを含むワイヤレス通信可能性を有する接続端末上で実現されることが出来る。さらに、本出願で使用されるように、用語“接続端末”、“ワイヤレスデバイス”、“クライアントデバイス”、“移動端末”、およびそれらのバリエーションは、交換可能で使用されうる。
【００１８】
図１に戻って参照すれば、ワイヤレスネットワーク１００のコンポーネント、および本発明の例示的実施形態のエレメントの相関は、例解された構成に限定されない。システム１００は、単に例示的であり、ワイヤレスクライアントコンピューティングデバイス１０２、１０８、１１０、１１２のような遠隔接続端末が、エアーを通して、またお互い同士、および／またはお互い間で、および／または、エアーインターフェース１０４およびＲＡＮ１２０を介して、制限されることなくキャリアネットワーク１２６、インターネット、および／または他の遠隔サーバに接続されたコンポーネント同士とコンポーネント間で、通信することを許容する任意のシステムを含むことが出来る。
【００１９】
ＲＡＮ１２０は、基地局コントローラ／パケット制御機能（ＢＳＣ／ＰＣＦ）１２２に送信された（典型的には、データパケットとして送信された）メッセージを制御する。ＢＳＣ／ＰＣＦ１２２は、パケットデータサービスノード１００（“ＰＤＳＮ”）と接続端末１０２／１０８／１１０／１１２の間の、シグナリング、チャネル確立、およびベアラーチャネルの取り壊しの責任を持っている。リンク層暗号化が、イネーブルされている場合、ＢＳＣ／ＰＣＦ１２２もまた、コンテンツをエアーインターフェース１０４を介して送信する前に暗号化する。ＢＳＣ／ＰＣＦ１２２の機能は、本技術分野で良く知られており、簡潔のため、さらには議論されないであろう。キャリアネットワーク１２６は、ネットワーク、インターネットおよび／または公衆交換電話ネットワーク（ＰＳＴＮ）によって、ＢＳＣ／ＰＣＦ１２２と通信することが出来る。代替的に、ＢＳＣ／ＰＣＦ１２２は、直接インターネットや外部ネットワークに接続することが出来る。典型的に、キャリアネットワーク１２６とＢＳＣ／ＰＣＦ１２２間のネットワークやインターネット接続は、データを転送し、またＰＳＴＮは、音声情報を転送する。ＢＳＣ／ＰＣＦ１２２は、複数の基地局（ＢＳ）やモデムプールトランシーバ（ＭＰＴ）１２４に接続することが出来る。キャリアネットワークに対し同様な態様で、ＢＳＣ／ＰＣＦ１２２は、典型的に、データ転送および／または音声情報に付いて、インターネットおよび／またはＰＳＴＮによってＭＰＴ／ＢＳ１２４に接続される。ＭＰＴ／ＢＳ１２４は、データメッセージを、ワイヤレスで、セルラー電話１０２のような接続端末にブロードキャストすることが出来る。ＭＰＴ／ＢＳ１２４、ＢＳＣ／ＰＣＦ１２２および他のコンポーネントは、本技術分野で知られているようにＲＡＮ１２０を形成することが出来る。しかし、代替的な構成を、また使用することが出来、本発明は例解された構成に限定されることはない。例えば、別の実施形態において、ＢＳＣ／ＰＣＦ１２２および１つあるいはそれより多くのＭＰＴ／ＢＳ１２４の機能は、ＢＳＣ／ＰＣＦ１２２とＭＰＴ／ＢＳ１２４の両方の機能を有する単一の“ハイブリッド”モジュールに合体することが出来る。
【００２０】
図２は、本発明の実施形態に従うキャリアネットワーク１２６を例解する。図２の実施形態において、キャリアネットワーク１２６は、パケットデータサービングノード（ＰＤＳＮ）１６０、ブロードキャストサービングノード（ＢＳＮ）１６５、アプリケーションサーバ１７０およびインターネット１７５を含む。しかし、アプリケーションサーバ１７０および他のコンポーネントは、代替的な実施形態において、キャリアネットワークの外に位置することが出来る。ＰＤＳＮ１６０は、例えば、ＣＤＭＡ２０００無線接続ネットワーク（ＲＡＮ）（例えば、図１のＲＡＮ１２０）を使用して、移動局（例えば、図１の１０２、１０８、１１０、１１２のような接続端末）に対するインターネット１７５、イントラネットおよび／または遠隔サーバ（例えば、アプリケーションサーバ１７０）への接続を提供する。接続ゲートウェイとして役目を務めながら、ＰＤＳＮ１６０は、単純なＩＰおよび移動接続、外部エージェントサポート、ならびにパケット搬送をもたらしうる。ＰＤＳＮ１６０は、認証、認可、および課金（ＡＡＡ）サーバ、ならびに他のサポートインフラに対するクライアントとしての役目を務めることが出来、移動局に、本技術分野で知られているＩＰネットワークへのゲートウェイを提供する。図２に示されるように、従来のＡ１０接続を介して、ＰＤＳＮ１６０は、ＲＡＮ１２０（例えば、ＢＳＣ／ＰＣＦ１２２）と通信することが出来る。Ａ１０接続は、本技術分野でよく知られており、簡潔のため、さらには記述されないであろう。
【００２１】
図２を参照しながら、ブロードキャストサービングノード（ＢＳＮ）１６５は、マルチキャストおよびブロードキャストサービスをサポートするように構成することが出来る。ＢＳＮ１６５は、以下にさらに詳細に記述されるであろう。ＢＳＮ１６５は、ブロードキャスト（ＢＣ）Ａ１０接続を介して、ＲＡＮ１２０（例えば、ＢＳＣ／ＰＣＦ１２２）と通信し、またインターネット１７５を介して、アプリケーションサーバ１７０と通信する。ＢＣＡ１０接続は、マルチキャストおよび／またはブロードキャストメッセージングを転送するために使用される。従って、アプリケーションサーバ１７０は、インターネット１７５を介して、ユニキャストメッセージングをＰＤＳＮ１６０に、また、インターネット１７５を介して、マルチキャストメッセージングをＢＳＮ１６５に送信する。
【００２２】
一般的に、以下にさらに詳細に記述されるように、ＲＡＮ１２０は、ＢＳＮ１６５から受信したマルチキャストメッセージを、１つあるいはそれより多くの接続端末２００に、ＢＣＡ１０接続を介し、エアーインターフェース１０４のブロードキャストチャネル（ＢＣＨ）を通して送信する。
【００２３】
図３を参照しながら、セルラー電話のような接続端末２００（ここでは、ワイヤレス端末）は、最終的にはキャリアネットワーク１２６、インターネットおよび／または他の遠隔サーバ、およびネットワークから招来し、ＲＡＮ１２０から送信されたソフトウェアアプリケーション、データおよび／または命令を受信し、実行することが出来るプラットフォーム２０２を有する。プラットフォーム２０２は、特定用途集積回路（“ＡＳＩＣ”２０８）や、他のプロセッサや、マイクロプロセッサや、論理回路や、他のデータ処理デバイスに動作的に結合されたトランシーバ２０６を含むことが出来る。ＡＳＩＣ２０８や他のプロセッサは、ワイヤレスデバイスのメモリ２１２中に内在する任意のプログラムとインターフェースする、アプリケーションプログラミングインターフェース（“ＡＰＩ”）２１０層を実行する。メモリ２１２は、読み出し専用またはランダムアクセスメモリ（ＲＡＭおよびＲＯＭ）、ＥＥＰＲＯＭ、フラッシュカード、またはコンピュータプラットフォームに共通の任意のメモリを具備されうる。プラットフォーム２０２は、メモリ２１２中でアクティブに使用されていないアプリケーションを保有することが出来る、ローカルデータベース２１４を、また含むことが出来る。ローカルデータベース２１４は、典型的には、フラッシュメモリセルであるが、本技術分野で知られているような任意の二次的記憶デバイス、例えば磁気的メディア、ＥＥＰＲＯＭ、光学的メディア、テープ、ソフトやハードディスク、または同様のものでありうる。内部プラットフォーム２０２コンポーネントは、本技術分野で知られた他のコンポーネントの中では、アンテナ２２２、ディスプレイ２２４、プッシュツートークボタン２２８、およびキーパッド２２６のような外部デバイスに、また動作的に結合されうる。
【００２４】
従って、本発明の実施形態は、本出願で記述された機能を実行する能力を含んでいる接続端末を含むことが出来る。本技術分野の当業者によって認識されるように、様々なロジックエレメントは、個別エレメント、プロセッサ上で実行されるソフトウェアモジュール、あるいは、本出願で開示された機能を達成するためのソフトウェアやハードウェアの任意の組み合わせ中で、実現することが出来る。例えば、ＡＳＩＣ２０８、メモリ２１２、ＡＰＩ ２１０およびローカルデータベース２１４は、全て、本出願に開示された様々な機能をロード、記憶および実行するように共同的に使用することが出来、そうして、これらの機能を実行するロジックは、様々なエレメントに渡って分布することが出来る。代替的に、機能性は、１つの個別コンポーネント中に取り込むことが出来うる。従って、図３における接続端末の特徴は、単に例解的であり、発明は例解された特徴や配列に限定されないと考えられるべきである。
【００２５】
接続端末１０２とＲＡＮ１２０との間のワイヤレス通信は、ワイヤレス通信ネットワークやデータ通信ネットワークにおいて使用されうるコード分割多元接続（ＣＤＭＡ）、ＷＣＤＭＡ、時間分割多元接続（ＴＤＭＡ）、周波数分割多元接続（ＦＤＭＡ）、直交周波数分割マルチプレックシング（ＯＦＤＭ）、移動通信に対する全世界的システム（ＧＳＭ）、または他のプロトコルのような異なる技術に基づくことが出来る。データ通信は、典型的に、クライアントデバイス１０２、ＭＰＴ／ＢＳ１２４、およびＢＳＣ／ＰＣＦ１２２間である。ＢＳＣ／ＰＣＦ１２２は、キャリアネットワーク１２６、ＰＳＴＮ、インターネット、仮想プライベートネットワーク、および同様のもののような複数のデータネットワークに接続することが出来、従って、接続端末１０２が、より広い通信ネットワークに接続することを許容する。先に論議し、本技術分野で知られたように、音声伝送および／またはデータは、各種のネットワークと構成を使用して、ＲＡＮから接続端末に送信することが出来る。従って、本出願において提供された例解は、本発明の実施形態を制限するのではなく、単に、本発明の実施形態の面の記述を助ける意図である。
【００２６】
背景の節で論議されたように、マルチキャストメッセージングは、多数の方法で実行されうる。本発明の実施形態をよりよく理解するために、従来のマルチキャストメッセージングプロセスが、夫々図４および５に関して記述されるであろう。それから、本発明の実施形態に従って、１つあるいはそれより多くのマルチキャストメンバーを含むであろうところの予期されるセクタのセットが、マルチキャストセッション開始の前に確立される、マルチキャストメッセージングプロセスが記述されるであろう。
【００２７】
図４は、ブロードキャストマルチキャストサーバ（ＢＣＭＣＳ）フレームワークを使用する従来のマルチキャストメッセージングプロセスを例解する。図４のマルチキャストメッセージングプロセスは、図１および２のワイヤレスシステム１００内で実行されるように、以下に記述される。図４を参照すると、４００において、アプリケーションサーバ１７０（または他のイニシエータ）は、マルチキャストメッセージが、ＡＴ（例えば、Ａ、Ｂ、およびＣ）を含むマルチキャストグループに送信されるように要求する。４００からのマルチキャストメッセージは、ＢＳＮ１６５にルーティングされる。４０５において、BＳＮ１６５は、ＢＣＡ１０接続を通して、ＲＡＮ１２０にマルチキャストメッセージを転送する。例えば、マルチキャストメッセージは、先ずＢＳＣ／ＰＣＦ１２２に転送され、ＢＳＣ／ＰＣＦ１２２は、マルチキャストメッセージに対するマルチキャストグループメンバーを分析し、マルチキャストメッセージを、１つあるいはそれより多くのマルチキャストグループメンバーにサーブしている各ＭＰＴ／ＢＳ１２４に転送する。
【００２８】
転送されたマルチキャストメッセージを受領した後に、ＲＡＮ１２０は、４１０で、次に利用可能な制御チャネルカプセルを待つ。本出願において参照された制御チャネルは、ブロードキャストチャネル（ＢＣＨ）と異なる周波数、コーディングおよび／または帯域を割り当てられたダウンリンク制御チャネルである。一般的に、従来、制御メッセージングのみを含むことを意図している制御チャネルには、より少ない帯域が割り当てられ、一方、従来、データを含むことを意図しているブロードキャストチャネル（ＢＣＨ）には、より多い帯域が割り当てられる。
【００２９】
図５を参照すると、各制御チャネルサイクルは、合計で２５６のスロットを含む。各制御チャネルサイクルは、シンクロナス制御チャネル（ＳＣ）、アシンクロナス制御チャネルカプセル（ＡＣ）、および多数のサブシンクロナス制御チャネルカプセル（ＳＳＣ）を含む。２５６のスロットの期間を有する制御チャネルサイクルの各々に対して、所定の時間スロットで、ＳＣは定期的または周期的に送信され、一方、制御チャネルサイクル内で、“ランダム”に、または非シンクロナス時間スロットで、ＡＣは送信される。ＳＣは、先ず、“Ｔ ｍｏｄ２５６＝オフセット”に対応する時間スロットで送信され、それから、“Ｔ ｍｏｄ４＝オフセット” に対応する時間スロットで再送信される。ここで、Ｔは、システム時間を表し、オフセットは、制御チャネルヘッダに含まれ、固定された時刻から遅れた時間値を表す。各ＳＣは、複数の制御チャネルＭＡＣ層パケットを含むことが出来、一方、各ＡＣは、ただ１つの制御チャネルＭＡＣ層パケットを含む。各ＭＰＴ／ＢＳ１２４は、周期的に１つあるいはそれより多くの制御チャネルＭＡＣ層パケットを送信するので、仮に、各ＭＰＴ／ＢＳ１２４が同じ時刻に送信する場合、干渉（例えば、セル間の干渉）が起こりうる。従って、衝突を避けるため、各ＭＰＴ／ＢＳ１２４に対して、異なるオフセットがＳＣに適応される。ＭＰＴ／ＢＳは、１つの制御チャネル期間または２５６のスロットサイクル内で、３つのＳＳＣカプセルを送信することが出来る。各ＳＳＣは、典型的に、ただ１つの制御チャネルＭＡＣ層パケットを送信する。オフセット値２を想定すると、ＳＳＣは、時間スロット６６、１３０および１９４で送信される。制御チャネルカプセル（例えば、ＳＣ、ＡＣ、ＳＳＣ等）は、一般的にＢＣＭＣＳシステム内の技術においてよく知られているので、その更なる記述は簡潔のために省略される。
【００３０】
図４に戻れば、４１０において、周期的ＢＯＭメッセージがスケジュールされているところで、ＲＡＮ１２０は、シンクロナス制御チャネルカプセル（ＳＣ）（例えば、オフセット２を想定すれば、次の制御チャネルサイクル中の時間スロット２）、または代替的にサブシンクロナス制御チャネルカプセル（ＳＳＣ）（例えば、オフセット２を想定すれば、制御チャネルサイクルの時間スロット６６、１３０、１９４の内の１つ）のいずれかを待つであろう。例えば、他のアプリケーションが制御チャネルをアクセスしようと試みており、また他のメッセージは、複数サイクルの遅延が引き起こされうることが予定されうるので、特別のＢＯＭに対して、各制御チャネルサイクル内の１つの特別の制御チャネルカプセルが留保されるであろう。
【００３１】
４１５において、次に利用可能なＳＣまたはＳＳＣを待った後で、ＲＡＮ１２０は、エアーインターフェースを通して、１つあるいはそれより多くのマルチキャストグループメンバー（例えば、ＡＴ Ａ、B、C）に、ワイヤレス通信システム１００の多数のセクタを通して、ブロードキャストオーバーヘッドメッセージ（ＢＯＭ）を送信する。というのは、マルチキャストセッションに対するマルチキャストグループメンバーの位置は、ＲＡＮ１２０で、正確には知られていないからである。ＢＯＭは、ＥＶ−ＤＯ標準規格によって規定されたフォワードリンク制御メッセージである。ＢＯＭは、あるセクタにおいて現時点で搬送されているＢＣＭＣＳフローのマルチキャストグループメンバーの各々に通知するように使用される。ＢＯＭは、また、インターレース多重化ペアー（ＩＭ−Ｐａｉｒ）情報を提供する。これは、フォワードリンク物理層時間スロットに関し、所望のパケットフローを受信するようにデコードされるべき情報、および、ブロードキャスト物理層パケットあたりの物理層スロットの数とフローを送信するのに使用される物理層レートとに関する情報である。４２０において、ＲＡＮ１２０は、目標のＡＴでデコードされるであろうＢＯＭに対する予め決められたスロットの数（例えば、８から１６スロット）を待つ。遅延４２０の後で、ＲＡＮ１２０は、デコードされたＢＯＭによって指定されたＢＣＨスロットを待つ（４２５）。これは、更なる遅延を引き起こし、ブロードキャストチャネル（ＢＣＨ）上のトラフィックに基づいて、さらに悪化されうる。４３０において、ＲＡＮ１２０は、各マルチキャストグループメンバーまたは目標のＡＴに、全ての可能なセクタ中の指定されたＢＣＨスロット上でブロードキャストチャネル（ＢＣＨ）を通してサーブしているアナウンスメッセージを送信する。次に、４３５において、マルチキャストセッションのモニターを希望するＡＴ A、B、Cの各々は、１ｘＥＶ−ＤＯ標準規格によって規定されるように、ＢＣＭＣＳフロー登録メッセージでＲＡＮ１２０に応答する。
【００３２】
図４に関して上述のように、従来のＢＣＭＣＳマルチキャストメッセージングは、典型的に、各目標のＡＴまたはマルチキャストグループメンバーに対し、マルチキャストメッセージがブロードキャストチャネル（ＢＣＨ）を通してマルチキャストグループの夫々のメンバーに送信される前に、ブロードキャストオーバーヘッドメッセージ（ＢＯＭ）をデコードするように要求する。これは、ＢＯＭのスケジューリングとデコーディングの両方の遅延、およびアナウンスメッセージのスケジューリングに対する潜在的後続の遅延を引き起こす。また、ＢＯＭおよびアナウンスメッセージは、ワイヤレス通信システム１００内の全ての可能なセクタ中で送信される。しかし、マルチキャストグループメンバーは、必ずしも、各セクタ内に存在する必要は無いことが認識されるであろう。従って、マルチキャストセッションが開始される都度、幾つかの数の送信は浪費される。
【００３３】
本発明の実施形態は、以降記述されるであろうが、そこでは、接続端末は、将来のマルチキャストセッションのために、ＲＡＮ１２０に“事前登録”する。その後、所定のマルチキャストセッションが開始される際、ＲＡＮ１２０が少なくとも、所定のマルチキャストセッションに対するマルチキャストグループメンバーが何処に位置しているかに関する幾らかの情報を保有するように、接続端末は、周期的に位置および／またはグループメンバーシップ情報を更新する。従って、ＲＡＮ１２０は、所定のマルチキャストセッションを確立し、および／または保持するように要求される送信の数を低減することが出来る。
【００３４】
図６は、本発明の実施形態に従うグループメンバーシップ報告と位置更新プロセスを例解する。図６の実施形態において、６００で、１つあるいはそれより多くのマルチキャストグループに所属することを所望する所定のＡＴが、電源をオンにする。所定のＡＴがパワーアップした後で、所定のＡＴは、ＲＡＮ１２０に、６０５で、（例えば、ＲＡＮ１２０内の１つあるいはそれより多くの基地局によって送信されたパイロット信号の位置確認後、および／または他の任意の初期パワーアッププロシージャ実行後）グループメンバーシップ通知（ＧＭＮ）メッセージを送信する。ＧＭＮメッセージは、所定のＡＴが、現時点または予期されるマルチキャストグループメンバーであるマルチキャストグループのリストを含む。
【００３５】
ある例において、ＧＭＮメッセージは、標準的ＢＣＭＣＳフロー登録メッセージ内に含まれうる。ＢＣＭＣＳフロー登録メッセージは、本技術においてよく知られており、１ｘＥＶ−ＤＯ標準規格内で規定される。典型的に、ＡＴは、ＢＯＭを受信した後、ＢＣＭＣＳフロー登録メッセージを促すために、登録セット（例えば、動的ブロードキャスト（ＲＦＤＢ）フィールドに対する登録、または１に等しいページング（ＲＦＰ）フィールドに対する登録）と共にＢＣＭＣＳフロー登録メッセージを送信する。ＢＣＭＣＳフロー登録メッセージは、あるＡＴが、モニターを希望するＢＣＭＣＳフローＩＤのリストを含む。ＢＣＭＣＳフローＩＤは、（例えば、（開示されていない）ＢＣＭＣＳコントローラによって）動的に割り当てされるか、予め構成されるかのいずれかによることが出来る。仮に、ＢＣＭＣＳフローＩＤが、ＢＣＭＣＳコントローラによって動的に割り当てされる場合、ＡＴは、ＢＣＭＣＳフロー発見プロセスを介して、ＢＣＭＣＳフロー登録メッセージを送信する前に、ＢＣＭＣＳフローＩＤを獲得することが出来る。一方、別の本発明の実施形態において、あるＢＣＭＣＳフローＩＤのブロックは、マルチキャストセッションが実際にアクティブであるかに無関係に、予め留保されるように構成することが出来る。この例において、各“留保された” ＢＣＭＣＳフローＩＤは、夫々のＩＰグループＩＤ（即ち、マルチキャストＩＰアドレスおよびポート番号ペアー）にマップすることが出来る。ある例において、“留保された” ＢＣＭＣＳフローＩＤのマッピングは、“マルチキャストフロー識別子を発生する方法”と題する２００７年９月２４日に出願され、その譲受人に譲渡され、その全体の内容が参照によりここに明確に組み込まれている米国仮特許出願第６０／９７４，８２７内でより詳細に論議されるように、各マルチキャストグループメンバーやＲＡＮ１２０および／またはＢＳＮ１６５で予め構成される。従って、この例において、６０５のＧＭＮメッセージ内に含まれるＢＣＭＣＳフローＩＤは、１つあるいはそれより多くの“留保された” ＢＣＭＣＳフローＩＤに対応しうる。
【００３６】
代替的な例において、ＧＭＮメッセージは、例えば、アップリンク上の記憶ＢＬＯＢ通知メッセージ中のように、所有権主張または非標準メッセージ内に含まれうる。この例において、ＧＭＮメッセージは、ＢＣＭＣＳフローＩＤのリストを含みうる。代替的に、ＧＭＮメッセージは、要求されたマルチキャストセッションに対するマルチキャストＩＰアドレスおよびポート番号のリストを含みうる。
【００３７】
図６の６００および６０５は、ＡＴ“パワーアップ”に向けられているが、代替的な実施形態において、補足的ＧＭＮメッセージは、所定のＡＴが（例えば、新規の基地局、サブネット、等に）ハンズオフする都度、ＲＡＮ１２０に送信されうる。
【００３８】
ＲＡＮ１２０は、ＧＭＮメッセージを受信（６０５）し、グループメンバーリストを６１０において読み込む。各グループメンバーリストエントリーは、（ｉ）ＲＡＮ１２０にＧＭＮメッセージを送信したＡＴのリスト（“ＡＴリストフィールド”）、（ｉｉ）グループメンバーリスト内の各ＡＴに対する関係したマルチキャストグループ（“マルチキャストグループフィールド”）（例えば、６０５において、ＢＣＭＣＳフローＩＤの、ＢＣＭＣＳのフローＩＤエントリーとしての記憶が報告され、所有権を主張できるメッセージが６０６において報告される場合は、マルチキャストＩＰアドレスおよびポート番号ペアーとして記憶され、等）、（ｉｉｉ）各ＡＴに対する最終的に知られた位置（“位置フィールド”）（例えば、セクタ識別、基地局識別を示すこと、等）、および（ｖ）ＡＴの最終的に知られた位置での報告された時刻を示す時刻スタンプ（“時刻スタンプフィールド”）を含む。グループメンバーリストエントリーの例は、以下にテーブル１として提供される：
【表１】
2011501895.tif 000003
【００３９】
従って、テーブル１の例に示されるように、所定のＡＴは、“ＡＴ １”とラベル表示され、所定のＡＴは、マルチキャストグループＴ＿フロー、U＿フローおよびＶ＿フローのメンバーである。所定のＡＴの最終的に知られた位置は、ワイヤレス通信システム１００のセクタY内であり、所定のＡＴの最終的に知られた位置は、東部標準時刻（ＥＳＴ）７：０６ＰＭに報告された。
【００４０】
別の例において、グループメンバーリストエントリーは、以下にテーブル２として提供されるように、マルチキャストグループフィールドに基づいてグループ分けすることが出来る：
【表２】
2011501895.tif 000004
【００４１】
従って、テーブル２の例に示されるように、ＡＴの１から４までは、マルチキャストグループＴ＿フローに対して登録される。位置フィールドおよび時刻スタンプフィールドは、例解の便宜のためテーブル２には含まれていない、というのは、これらのフィールドは、１から４までのＡＴの各々に特有であるためである。
【００４２】
上記で提供されたグループメンバーリストエントリーは、例の目的のためのみに与えられており、本発明の他の実施形態は、グループメンバーリストエントリーは任意の良く知られた態様で構成されうることが認識されるであろう。例えば、位置フィールドは、セクタ識別子ではなく、代替的に基地局識別子を記憶することが出来る。別の例において、位置フィールドは、各ＬＡが、（例えば、ＲＡＮ１２０によって規定されるような）サブネットやＰＣＦエリアの部分に対応する位置エリア（ＬＡ）識別子、あるいは、各ＭＡが、マルチキャスティングの目的のためにのみ、ＲＡＮ１２０によって識別されるサブネットやＰＣＦエリアの部分に対応するマルチキャストエリア（ＭＡ）識別子のような、複数のセクタを識別する識別子を記憶することが出来る。
【００４３】
６１０において、ＧＭＮメッセージに基づいてグループメンバーリストを更新した後に、６１５において、ＲＡＮ１２０は、ＡＴに対する位置更新ルールやプロトコルを動的に設定するかを決定する。位置更新ルールは、ＡＴが、ルート更新メッセージのＲＡＮ１２０への送信をスケジュールする態様に対応する。ルート更新メッセージは、特別なＡＴに対する位置フィールドと時刻スタンプフィールド（上記参照）を更新する。一般的に、もしＲＡＮ１２０が、特別なマルチキャストグループに対するマルチキャストグループメンバーの位置に綿密に注意を払うことを希望する場合、ＲＡＮ１２０は、６１５において、比較的攻撃的な位置更新ルールを設定するであろう。そうではなく、もしＲＡＮ１２０が、リバースリンクトラフィックの低減を希望する場合、ＲＡＮ１２０は、６１５において、比較的保守的な位置更新ルールを設定するであろう。別の代替的な例において、ＲＡＮ１２０は、位置更新ルールの設定を行わず、所定のＡＴで、デフォルトまたはマニュアルに入れられた位置更新ルールに依存することが出来る。位置更新ルールの例は、以下に提供される。
【００４４】
６２０において、所定のＡＴは、位置更新ルールを確立する。例えば、６１５において、ＲＡＮ１２０が、位置更新ルールを動的に設定しないことを決定する場合、６２０において、デフォルト位置更新ルールは、確立されうる。代替的に、ＲＡＮ１２０が、６１５において、位置更新ルールを動的に設定することを決定する場合、動的に設定された位置更新ルールは、６２０においてアクティブ化される。別の代替的な例において、所定のＡＴのユーザは、カスタム位置更新ルールを、マニュアルで選択し、入れることが出来る。
【００４５】
ある例において、位置更新ルールは、所定のＡＴが、所定の距離をトラバース後、（例えば、所定のＡＴが、いずれのセクタをトラバースしたか等に基づいて）ルート更新メッセージを送信するような、距離ベースの登録（ＤＢＲ）プロトコルでありうる。所定の距離は、どの所定のＡＴがハンドオフされた基地局かに、あるいは、アイドル状態にある間、どの所定のＡＴがモニターしている基地局かに基づくことが出来る。別の例において、位置更新ルールは、ルート更新メッセージを、所定ＡＴが新規位置エリア（ＬＡ）に入るたびに送信することでありうる。ここで、各ＬＡは、（例えば、ＲＡＮ１２０によって規定されるように）サブネットまたはＰＣＦエリアの部分に対応する。
【００４６】
他の例において、位置更新ルールは、位置更新戦略の多数の可能性のいかなるものに対応する。例えば、位置更新ルールは、タイマーベースであり、そこでは所定のＡＴは、所定またはカスタム期間のタイマーを保持し、各タイマー期間に対し１回、ルート更新メッセージを送信する。この例において、短いタイマー期間は、グループメンバーリストに対し、より最新の位置エントリーを保持するための、より攻撃的な位置更新ルールに対応する。しかしながら、短いタイマー期間は、また、リバースリンク上の高いトラフィックと関係付けられる。
【００４７】
６２０において位置更新ルールを設定した後に、所定のＡＴは、（例えば、アイドルモードに入る、音声コールを行う、等）６２５で通常の動作を再開する。所定のＡＴは、６２０において確立された位置更新ルールに基づいて、その位置情報をルート更新メッセージで更新するかを、６３０において決定する。もし、位置更新ルールが、ルート更新メッセージを要求する場合、６３５において、ルート更新メッセージは、ＲＡＮ１２０に送信される。６４０において、ＲＡＮ１２０は、ルート更新メッセージに基づいて、グループメンバーリストパラメータを更新する。例えば、ＲＡＮ１２０は、ルート更新メッセージに基づいて、所定のＡＴに対するグループメンバーリストの位置フィールドおよび時刻スタンプフィールドを更新する。そうでなく、ルート更新メッセージは送信される必要が無いことを、位置更新ルールが示す場合、プロセスは、６４５に進む。
【００４８】
６４５において、所定のＡＴは、そのグループメンバーシップ情報を、補足的ＭＳＮメッセージで更新するかを決定する。例えば、所定のＡＴが新規のマルチキャストグループに参加することを希望する場合、所定のＡＴは、補足的ＧＭＮ（即ち、新規のマルチキャストメンバーに対するＢＣＭＣＳフローＩＤおよび／またはマルチキャストＩＰアドレスとポート番号ペアーを含む）メッセージを送信することを決定しうる。別の例において、所定のＡＴが、既に登録してあるマルチキャストグループに対し、そのメンバーシップをキャンセルすることを希望する場合、所定のＡＴは、補足的ＧＭＮ（即ち、キャンセルされたマルチキャストグループに対するＢＣＭＣＳフローＩＤおよび／またはマルチキャストＩＰアドレスとポート番号ペアーを削除する）メッセージを送信することを決定しうる。各補足的ＧＭＮメッセージは、いずれの以前送信された補足的ＧＭＮメッセージに取って代わる。所定のＡＴが、そのグループメンバーシップ情報を更新しないと決定する場合、プロセスは、６２５に戻り、所定のＡＴは、通常の動作を再開する。そうでなく、所定のＡＴが、そのグループメンバーシップ情報を更新すると決定する場合、所定のＡＴは、６５０において、補足的ＧＭＮメッセージを送信する。
【００４９】
補足的ＧＭＮメッセージの構成の例は、今、さらに詳細が記述されるであろう。ある例において、補足的ＧＭＮメッセージは、ＢＣＭＣＳフロー登録メッセージに対応しうる。
【００５０】
従来、ＢＣＭＣＳフロー登録メッセージは、所定のＡＴが現在登録を要求しているＢＣＭＣＳフローＩＤのリスティングを含み、所定のＡＴが既にモニターしているＢＣＭＣＳフローＩＤの“反芻”や“再リスティング”は含む必要は必ずしもない。しかしながら、本発明の実施形態に従うと、ＡＴおよびＲＡＮ１２０は、補足的ＧＭＮメッセージ内の“削除された”ＢＣＭＣＳフローＩＤを、削除されたＢＣＭＣＳフローに関係付けられた所定ＡＴのマルチキャストグループからの登録抹消の暗黙の要求と解釈するように構成される。
【００５１】
従って、ある例において、所定のＡＴが、６０５において初期に登録していた１つのマルチキャストグループからの登録抹消を、６４５で決定し、６０５において初期に送信していたのと、マルチキャストグループに対する登録抹消のＢＣＭＣＳフローＩＤを除いては同一の、ＢＣＭＣＳフロー登録メッセージを再送信し、新規の登録メッセージからは削除されると想定しよう。
【００５２】
６５５において、ＲＡＮ１２０は、補足的ＧＭＮメッセージに基づいて、グループメンバーリストパラメータを更新する。もし、補足的ＧＭＮメッセージが、以前に送信された補足的ＧＭＮメッセージと異なるマルチキャストグループを要求する場合、所定のＡＴが所属するマルチキャストグループのリストを保持するマルチキャストグループフィールドは、補足的ＧＭＮメッセージにおいてリストされたマルチキャストグループを追加するように更新される。代替的に、マルチキャストグループフィールドは、補足的ＧＭＮメッセージに基づいて、補足的ＧＭＮメッセージ内でグループの除外が示された場合、マルチキャストグループを除外するように更新される。認識されうるように、あるマルチキャストグループを所定の関係付けられたマルチキャストグループフィールドから、以前にリストされたマルチキャストグループを除外すること、新規のマルチキャストグループを追加すること、および／または、追加することと除外することの両方をもたらすことが出来る。さらに、ＲＡＮ１２０は、補足的ＧＭＮメッセージを送信する所定のＡＴに対するグループメンバーの位置フィールドおよび時刻スタンプフィールドを更新する。
【００５３】
例えば、６５５において、ＲＡＮ１２０が、ＢＣＭＣＳフローが削除されたＧＭＮメッセージまたはＢＣＭＣＳフロー登録メッセージ（即ち、“登録抹消”メッセージ）を受信すると想定しよう。ＲＡＮ１２０は、６４０で受信されたＢＣＭＣＳフロー登録メッセージを、ＢＣＭＣＳフローＩＤに関係付けられたマルチキャストグループから脱退する、所定のＡＴからの要求と解釈し、従って、所定のＡＴを、そのマルチキャストグループから除外または登録抹消する。
【００５４】
補足的ＧＭＮメッセージの追加的な例は、今、さらに詳細に記述されるであろう。
【００５５】
第１の例において、所定のＡＴは、現時点で、（例えば、６０５において送信された初期のＧＭＮメッセージ、またはＢＣＭＣＳフロー登録メッセージに基づく）フロー＿１、フロー＿２、フロー＿３およびフロー＿４のＢＣＭＣＳフローＩＤを持ったマルチキャストグループのメンバーであると想定しよう。そして、所定のＡＴが、６４５において、フロー＿５の登録を決定したとしよう。この例において、６５０において送信されたＧＭＮメッセージは、以下のように構成されうる：
【表３】
2011501895.tif 000005
【００５６】
従って、上に、例示補助的ＧＭＮメッセージ１で示されたように、６５０において送信されたＧＭＮメッセージは、（ｉ）所定のＡＴが現時点で登録された、各マルチキャストグループ（即ち、フロー＿１、フロー＿２、フロー＿３およびフロー＿４）および（ｉｉ）所定のＡＴが現時点で登録されておらず、所定のＡＴが、登録を希望する各マルチキャストグループ（即ち、フロー＿５）を含む。ＲＡＮ１２０は、６５５において、補助的ＧＭＮメッセージを受信し、ＲＡＮ１２０は、（ｉ）所定のＡＴの、ＢＣＭＣＳフローのフロー＿１、フロー＿２、フロー＿３およびフロー＿４への登録を保持し、および（ｉｉ）所定のＡＴを、ＢＣＭＣＳフローのフロー＿５に登録する。
【００５７】
第２の例において、所定のＡＴは、現時点で、（例えば、６０５において送信された初期のＧＭＮメッセージ、またはＢＣＭＣＳフロー登録メッセージに基づく）フロー＿１、フロー＿２、フロー＿３およびフロー＿４のＢＣＭＣＳフローＩＤを持ったマルチキャストグループのメンバーであると想定しよう。そして、所定のＡＴが、６４５において、フローに関係付けられたマルチキャストグループからフロー＿３およびフロー＿４の登録抹消を決定したとしよう。この例において、６５０において送信された補助的ＧＭＮメッセージは、以下のように構成されうる：
【表４】
2011501895.tif 000006
【００５８】
従って、上に例示補助的ＧＭＮメッセージ２で示されたように、６５０において送信された補助的ＧＭＮメッセージは、（ｉ）所定のＡＴが現時点で登録され登録保持に興味のある、各マルチキャストグループ（即ち、フロー＿１およびフロー＿２）を含み、および（ｉｉ）所定のＡＴが、もはや興味のない各マルチキャストグループ（即ち、フロー＿３およびフロー＿４）を削除する。ＲＡＮ１２０は、６５５において、補助的ＧＭＮメッセージを受信し、ＲＡＮ１２０は、（ｉ）所定のＡＴの、ＢＣＭＣＳフローのフロー＿１およびフロー＿２の登録を保持し、および（ｉｉ）所定のＡＴを、ＢＣＭＣＳフローのフロー＿３およびフロー＿４から登録抹消する。
【００５９】
第３の例において、所定のＡＴは、現時点で、（例えば、６０５において送信された初期のＧＭＮメッセージ、またはＢＣＭＣＳフロー登録メッセージに基づく）フロー＿１、フロー＿２、フロー＿３およびフロー＿４のＢＣＭＣＳフローＩＤを持ったマルチキャストグループのメンバーであると想定しよう。そして、所定のＡＴが、６４５において、フローに関係付けられたマルチキャストグループからフロー＿２、フロー＿３およびフロー＿４の登録抹消、フロー＿５への登録を決定するとしよう。この例において、６５０において送信された補助的ＧＭＮメッセージは、以下のように構成されうる：
【表５】
2011501895.tif 000007
【００６０】
従って、上に例示補助的ＧＭＮメッセージ３で示されたように、６５０において送信された補助的ＧＭＮメッセージは、（ｉ）所定のＡＴが現時点で登録され登録保持に興味のある、各マルチキャストグループ（即ち、フロー＿１）を含み、また、所定のＡＴが現時点では登録されておらず、登録（即ち、フロー＿５）を要求しており、および（ｉｉ）所定のＡＴが、もはや興味のない各マルチキャストグループ（即ち、フロー＿２、フロー＿３およびフロー＿４）を削除する。ＲＡＮ１２０は、６５５において、補助的ＧＭＮメッセージを受信し、ＲＡＮ１２０は、（ｉ）所定のＡＴの、ＢＣＭＣＳフローのフロー＿１の登録を保持し、（ｉｉ）所定のＡＴを、ＢＣＭＣＳフローのフロー＿２、フロー＿３およびフロー＿４から登録抹消し、および（ｉｉｉ）所定のＡＴを、ＢＣＭＣＳフローのフロー＿５に登録する。
【００６１】
さらに別の例において、補助的ＧＭＮメッセージが、リストされたマルチキャストグループを含まない場合、補助的ＧＭＮメッセージは、所定のＡＴを、グループメンバーリストから全部落とすあるいはキャンセルする要求と解釈される。このタイプのＧＭＮメッセージは、“ゼロの” ＧＭＮメッセージと呼ぶことが出来る。従って、６５０において、補助的ＧＭＮメッセージが、マルチキャストグループを含まない場合、ＲＡＮ１２０は、６５５において、所定のＡＴに対するＡＴリストフィールド、マルチキャストグループフィールド、位置フィールドおよび時刻スタンプフィールドの各々を除外する。別の例において、ゼロの ＧＭＮメッセージは、全グループからの登録抹消を黙示するために留保された特別なマルチキャストグループＩＤ（またはＢＣＭＣＳフローＩＤ）を含むことが出来る。別の例において、ゼロの ＧＭＮメッセージは、独立の、所有権を主張できるメッセージでありえて、単に、“空の” ＧＭＮメッセージまたはＢＣＭＣＳフロー登録メッセージではない。
【００６２】
図６の上記記載の点から認識されるであろうが、いかなる所定の時刻において、グループメンバーリストは、マルチキャストグループメンバーが、マルチキャストグループに対するアクティブマルチキャストセッションが実際に開始される前に、何処に “潜在的に” （例えば、グループメンバーリストは、必ずしも完全に正確である必要はないので、“潜在的に”）位置しているかに関する情報を含む。
【００６３】
さらに、図６には明示的には例解されていないが、ＲＡＮ１２０は、自らの主導で（即ち、１つあるいはそれより多くのＡＴから受信したルート更新メッセージおよび／またはＧＭＮメッセージに対応するのでなく）グループメンバーリストを周期的に更新することが出来る。例えば、特定のＡＴに対する位置フィールドが“古臭い”または、経年閾値を超過となる場合、ＲＡＮ１２０は、古臭い位置フィールドを最新のものではないと解釈するであろう。そして、関係するＡＴをグループメンバーリストから完全に除外しうる。
【００６４】
図７は、本発明の実施形態に従うマルチキャストメッセージングプロセスを例解する。
【００６５】
図７に関し、ＲＡＮ１２０によって保持されるグループメンバーリストが、マルチキャストグループT＿フローに対して登録されている複数のＡＴを含むと想定しよう。従って、ある例として、T＿フローに対して登録されているＡＴに対するグループメンバーリストは、（以下の）テーブル３における次の記載を含みうる：
【表６】
2011501895.tif 000008
【００６６】
図７を参照すれば、７００において、アプリケーションサーバ１７０は、所定のマルチキャストグループに対するマルチキャストフローを開始する要求を発する。例の目的で、（上記）テーブル３におけるごとく、マルチキャストフローが、ＡＴ ＡからGの各々に対するマルチキャストグループフィールドにおけるように、T＿フローに対応すると想定しよう。例えば、図７の７００において発生されたマルチキャストフローT＿フローは、（示されていないが）所定の接続端末が所定のマルチキャストグループに通話することを要求するのに対応しうる。アプリケーションサーバ１７０がＡＴの要求を受諾すると決定した後に、サーバ１７０は、ＩＰマルチキャスティングを介して、グループメンバーに送信されるであろうマルチキャストフローアナウンスメントメッセージを発生することが出来る。アプリケーションサーバ１７０は、７０５において、マルチキャストフローをＢＳＮ１６５に転送し、ＢＳＮ１６５は、ＢＣＡ１０接続を通して、ＢＣＭＣＳフローをＲＡＮ１２０に転送する。ＲＡＮ１２０は、７１０において、１つあるいはそれより多くのセクタ中で、エアーインターフェース１０４を介して、ＢＣＭＣＳフローのマルチキャストメッセージを、マルチキャストグループメンバーに送信する責任がある。
【００６７】
図７の７１０において、ＲＡＮ１２０は、初期の“クラスタ”に対する目標セクタの初期のセットを決定する。本出願において使用されるように、目標セクタは、少なくとも１つのマルチキャストグループメンバーを有している、または“潜在的に”有しているワイヤレス通信システム内の任意のセクタである。本出願において使用されるように、“クラスタ”は、セクタ（例えば、１つあるいはそれより多くのセクタ）のセットに対応し、その上で、特別なマルチキャストグループに対して、ＢＣＨが、ＢＣＭＣＳフローを搬送する。以下に、さらに詳細に記述されるように、クラスタは、特別なマルチキャストグループやＢＣＭＣＳフローに対する、目標のセクタおよびサポートするセクタの両方を含む。
【００６８】
依然として図７の７１０を参照すれば、ＲＡＮ１２０は、ＲＡＮ１２０で保持されるグループメンバーリストに基づいて、目標セクタの初期のセットを決定する（例えば、テーブル３参照）。従って、テーブル３の例において、目標セクタの初期のセットは、セクタＴ１からＴ４に対応しうる。さらに一般的に、目標セクタの初期のセットは、（例えば、ＲＡＮ１２０で保持されたグループメンバーリスト記載事項内の、ＡＴに対する最後に知られた位置は、正確である必要はないが、仮に時刻スタンプフィールドが比較的最近のものであれば、ＡＴの実際の現時点での位置に、最近接であろうから）セクタＴ１からＴ４の任意のセクタに関する、ある近接基準を満たす全てのセクタに対応しうる。
【００６９】
次に、図７の７１５において、ＲＡＮ１２０は、ＢＣＭＣＳフローT＿フローに対するサポートセクタの初期のセットを決定する。ある例において、サポートセクタの初期のセットは、目標セクタの初期のセットに基づきうる。例えば、サポートセクタは、それ自身は目標セクタではなく、１つあるいはそれより多くの目標セクタに隣接する任意のセクタに対応しうる。代替的に、サポートセクタは、実際には目標セクタに隣接ではなしに、目標セクタに対する所定の近接（例えば、距離の近接、信号の強さの近接、等）でのセクタに対応しうる。
【００７０】
図７の７２０において、ＲＡＮ１２０は、ＢＣＭＣＳフローに対する非サポートセクタの初期のセットを決定する。ＢＣＭＣＳフローに対する非サポートセクタの初期のセットは、ワイヤレスシステム１００内の、図７の７１０において決定された目標セクタでもなく、図７の７１５おいて決定されたサポートセクタでもない任意のセクタを含む。
【００７１】
図７の７２５において、ＲＡＮ１２０は、目標およびサポートセクタの夫々で、目標セクタおよびサポートセクタプロセスを実行する。一般的に、各目標セクタおよび各サポートセクタは、ダウンリンクブロードキャストチャネルＢＣＨ上でＢＣＭＣＳフローを搬送する。そして、そのようであるので、ＲＡＮ１２０は、目標セクタＴ１からＴ４およびサポートセクタにサービスしている基地局に、マルチキャストメッセージを転送する。しかしながら、過剰なＡＴフィードバックを減少するために、サポートセクタは、ＡＴフィードバックを促すように（例えば、ＲＦＤＢ＝１またはＲＦＰ＝１で）構成されたＢＯＭを、各ＢＯＭ期間に、（例えば、ATからのフィードバックがサポートセクタに“紛れ込む”ことを促すために）送信する。一方、目標セクタは、ＡＴフィードバックを、より少ない頻度に促すように送信し、ＡＴフィードバックを抑制するように、より頻繁にＢＯＭを（例えば、ＲＦＤＢ＝０またはＲＦＰ＝０で）（例えば、目標セクタが既にＢＣＭＣＳフロー搬送しているときは、ＡＴ登録を妨げるように）送信する。非サポートセクタは、ＢＣＭＣＳフローT＿フローを搬送せず、ＲＡＮ１２０は、T＿フローに対するマルチキャストメッセージを、非サポートセクタに転送する必要は無い。目標セクタの挙動、サポートセクタの挙動、および非サポートセクタの挙動のより詳細な論議は、“ワイヤレス通信ネットワーク内でのマルチキャスト通信に対する移動性サポートを提供する方法”と題する２００７年９月２４日に出願され、その譲受人に譲渡された米国仮特許出願第６０／９７４，８００号内で見出されることが出来、この全体の内容は、参照によりここに明確に組み込まれている。
【００７２】
図７の７３０において、ＲＡＮ１２０は、クラスタのセクタ割り当てを更新（例えば、新規目標／サポートセクタを追加、新規目標／サポートセクタを除外、等）する。再び、セクタ割り当ての更新の、さらに詳細な記述は、上記で参照された共にペンディングの出願内で提供される。また、図７において明示的には示されていないが、アクティブマルチキャストセッションの間、ＲＡＮ１２０は、マルチキャストグループメンバーから受信したＧＭＮメッセージおよびルート更新メッセージに基づいて、グループメンバーリストを継続して保持／更新することが認識されるであろう。
【００７３】
図８は、（上記）テーブル３内で提供された想定、および図７のプロセスに基づいて構成されたワイヤレス通信システム８００を例解する。図８に示されるように、ワイヤレス通信システム８００は、目標セクタＴ１からＴ４、サポートセクタＮ１からＮ１１、および非サポートセクタＸ１からＸ１７を含んでいる複数のセクタ８０５を含む。上で論議されたように、マルチキャストまたはＢＣＭＣＳフローＴ＿フローは、目標セクタＴ１からＴ４およびサポートセクタＮ１からＮ１１内でアナウンスされ／搬送され、またＲＡＮ１２０は、Ｔ＿フローをサポートするマルチキャストメッセージングを、非サポートセクタ内の基地局へアナウンスや送信しない。従って、システムにわたるマルチキャスト通信トラフィックのレベルは、マルチキャストＴ＿フローが、各夫々のセクタでアナウンスされる従来例と比べて低減される。
【００７４】
本発明の代替的な実施形態において、図７の７１０に関して上で論議されたように、目標セクタは、（ｉ）テーブル３に保持される、各ＡＴの最終的に知られた位置フィールドに記憶されたセクタ（即ち、セクタＴ１からＴ４）、（ｉｉ）および（ｉ）に関して、所定の近接基準を満たすセクタを含むように構成されうる。例えば、もし所定の近接基準が、隣接するセクタに対応すると、ワイヤレス通信システム８００は、サポートセクタＮ１からＮ１１も目標セクタであり、新規目標セクタのセットに隣接するセクタがサポートセクタであり、等々のように変形されうるであろう。別の例として、もし、所定の近接基準が、距離ベースの登録を実行するのに、最終的に登録されたセクタからの距離内にある全てのセクタに対応する場合、その距離内の全てのセクタもまた、目標セクタでありうる。従って、初期の目標セクタグループは、必ずしも、所定のマルチキャストグループに対して、ＲＡＮ１２０で保持されたＡＴの最終的に知られた位置に限定されないことが認識されるべきであろう。
【００７５】
別の例において、グループメンバーリストは、ＲＡＮ１２０からマルチキャストグループメンバーに、スケジューリング命令を提供するように使用されうる。命令は、マルチキャストグループメンバーに、アナウンスメッセージのような“対話的” マルチキャストメッセージに如何に応答するかに関して命令する。ここで、対話的マルチキャストメッセージは、１つあるいはそれより多くのマルチキャストグループメンバーからフィードバックを要求または要請するマルチキャストメッセージである。例えば、もし、多数のマルチキャストグループメンバーが、特別のセクタ内に存在すると予想され、マルチキャストセッションに対するアナウンスメッセージがセクタ内で送信される場合、かなり多数のマルチキャストグループメンバーが、アナウンスメッセージに応答し、マルチキャストセッションに登録するように、同時にリバースリンクチャネルの接続を試みようとするであろう。しかしながら、グループメンバーリスト内に存在する情報で、ＲＡＮ１２０は、“接続チャネルメッセージ”（ＡＣＭ）を介して、アナウンスメッセージに応答するために、接続端末に対する応答シーケンスをスケジュールすることが出来る。例えば、ＲＡＮ１２０は、ＡＣＭをアナウンスメッセージと共に送信することが出来る。ＡＣＭは、グループメンバーリストに基づいて、多数の接続端末に対するフィードバックスロットを留保する優先付けされた応答順序を指定する。例えば、ＲＡＮ１２０によって保持されたグループメンバーリストで、位置フィールドを一番最近更新された（例えば、ＧＭＮメッセージ、ルート更新メッセージ、等を介して更新された）接続端末は、ＡＣＭにより第１の応答スロットが許諾され、位置フィールドを、次に最近更新されたＡＴは、ＡＣＭにより第２の応答スロットが許諾されうる、等々である。ＡＣＭおよびリバースリンク上の対話的マルチキャストメッセージフィードバックのスケジューリングは、“ワイヤレス通信システム内での対話的マルチキャストメッセージに応答する方法”と題する２００７年９月２４日に出願され、その譲受人に譲渡された米国仮特許出願第６０／９７４，７９６号内でさらに詳細に論議され、この全体の内容は、参照によりここに明確に組み込まれている。
【００７６】
本技術分野の当業者は、情報および信号は、任意の異なる様々な技術や手法を使用して表示されうることを認識するであろう。例えば、上記記述を通して、参照されたデータ、命令、コマンド、情報、信号、ビット、シンボル、およびチップは、電圧、電流、電磁波、磁場や磁気的粒子、光学的場や光学的粒子、あるいはそれらの組み合わせによって表示されうる。
【００７７】
さらに、本技術分野の当業者は、本出願において開示された実施形態と関係して記述された様々な例解的な論理的ブロック、モジュール、およびアルゴリズムステップは、電子的ハードウェア、コンピュータソフトウェア、または両方の組み合わせとして実現されうることを認識するであろう。ハードウェアとソフトウェアの、この交換可能性を明確に例解するために、様々な例解的コンポーネント、ブロック、モジュール、回路、およびステップは、一般的に機能の形で記述された。そのような機能が、ハードウェアとして、またはソフトウェアとして実現されるかは、全体的なシステムに課される特定のアプリケーションと設計制約に依存する。熟練者は、記述された機能性を、各々の特定のアプリケーションに対して、方法を変えながら実現することが出来るが、そのような実現の決定は、本発明の範囲を逸脱させるものと解してはならない。
【００７８】
本出願において開示された実施形態と関係して記述された様々な例解的な論理的ブロック、モジュール、および回路は、汎用目的プロセッサ、デジタル信号プロセッサ（ＤＳＰ）、特定応用集積回路（ＡＳＩＣ）、フィールドプログラマブルゲートアレイ（ＦＰＧＡ）や他のプログラマブルロジックデバイス、ディスクリートゲートやトランジスタロジック、ディスクリートハードウェアコンポーネント、または、本出願において記述された機能を実行するように設計された、それらの任意の組み合わせで実現または実行されうる。汎用目的プロセッサは、マイクロプロセッサでありうるが、代替的に、プロセッサは、任意の従来のプロセッサ、コントローラ、マイクロコントローラ、または状態マシーンでありうる。プロセッサは、また、例えば、ＤＳＰとマイクロプロセッサの組み合わせ、複数のマイクロプロセッサ、ＤＳＰコアと関係する１つあるいはそれより多くのマイクロプロセッサ、またはそのような任意の他の構成のような、コンピューティングデバイスの組み合わせとして実現されうる。
【００７９】
本出願において開示された実施形態と関係して記述された方法、シーケンスおよび／またはアルゴリズムは、直接的にハードウェアで、プロセッサによって実行されるソフトウェアモジュールで、またはその二つの組み合わせで実現することが出来る。
【００８０】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本技術で知られた任意の他の形の記憶媒体中に存在しうる。例示的な記憶媒体は、プロセッサが記憶媒体から情報を読み出す、記憶媒体に情報を書き込むことが出来るようにプロセッサに結合される。代替的に、記憶媒体は、プロセッサに集積されうる。プロセッサと記憶媒体とは、ＡＳＩＣ内に存在しうる。ＡＳＩＣは、ユーザ端末（例えば、接続端末）内に存在しうる。代替的に、プロセッサと記憶媒体とは、ユーザ端末中で、個別のコンポーネントとして存在しうる。
【００８１】
１つあるいはそれより多くの例示的な実施形態において、記述された機能は、ハードウェア、ソフトウェア、ファームウェア、またはそれらの任意の組み合わせで実現されうる。ソフトウェアで実現される場合、機能は、コンピュータ読み出し可能な媒体上の１つあるいはそれより多くの命令やコードに記憶、または送信されうる。コンピュータ読み出し可能なメディアは、コンピュータプログラムを、ある箇所から別の箇所へ転送するのを容易化する媒体を含むコンピュータ記憶メディアおよび通信メディアの両方を含む。記憶メディアは、コンピュータによってアクセスされうる任意の利用可能なメディアでありうる。限定ではなく、一例を挙げれば、そのようなコンピュータ読み出し可能なメディアは、ＲＡＭ、ＲＯＭ、ＥＥＰＲＯＭ、ＣＤ−ＲＯＭまたは他の光学ディスク記憶、磁気ディスク記憶や他の磁気記憶デバイス、または、コンピュータによってアクセスされうる命令やデータ構造の形で、所望のプログラムコードを搬送ないしは記憶するために使用されうる、他の任意の媒体を含むことが出来る。また、いかなる接続も、適切にコンピュータ読み出し可能な媒体と呼ばれる。例えば、ウェブサイト、サーバ、または他の遠隔ソースから、同軸ケーブル、ファイバーオプティックケーブル、撚り線対、ＤＳＬ、または、遠赤外、無線およびマイクロ波のような無線技術を使用して、ソフトウェアが送信されるとした場合、同軸ケーブル、ファイバーオプティックケーブル、撚り線対、ＤＳＬ、または、遠赤外、無線およびマイクロ波のような無線技術は、媒体の定義の中に含まれる。本出願において使用されるdiskおよびdiscは、コンパクトdisc（ＣＤ）、レーザdisc、光学disc、デジタルバーサタイルdisc（ＤＶＤ）、フロッピー（登録商標）diskおよびブルーレイ（登録商標）discを含み、diskは、通常データを磁気的に再生し、一方discは、データをレーザで光学的に再生する。上記の組み合わせは、また、コンピュータ読み出し可能なメディアの範囲内に含まれるべきである。
【００８２】
前述の開示は、本発明の例解的な実施形態を示しているが、付属の請求項で規定されるような本発明の範囲を逸脱することなく、本出願において、様々な変更と変形をなすことが可能であるということに留意されるべきである。本発明の実施形態に従った方法クレームの機能、ステップおよび／または行為は、いかなる特定の順序で実行されなくてはいけないということはない。さらに、本発明のエレメントは単数形で記述されるかもしれないが、明示的に単数に限定と述べられていない限り、複数形が考えられる。
【図１】
2011501895.tif 000009
【図２】
2011501895.tif 000010
【図３】
2011501895.tif 000011
【図４】
2011501895.tif 000012
【図５】
2011501895.tif 000013
【図６】
2011501895.tif 000014
【図７】
2011501895.tif 000015
【図８】
2011501895.tif 000016
【国際調査報告】
2011501895.tif 000017
2011501895.tif 000018